(57)【要約】【課題】コンテンツを構成するファイルの検索を迅速化し、かつファイルの必要性を容易に識別可能なコンテンツ処理装置、コンテンツ表示方法、及びプログラムを提供する。【解決手段】再生対象となるコンテンツに関する情報を表示する表示手段と、コンテンツと、コンテンツの再生履歴を含むコンテンツに関する情報と、を記憶する記憶手段と、記憶手段に記憶されている再生履歴に基づいてコンテンツを区分けし、当該区分けに対応させてコンテンツに関する情報の階層表示を表示手段に行わせる制御手段と、を備えることにより、コンテンツを構成するファイルの検索を迅速化し、かつファイルの必要性を容易に識別することが可能となる。【選択図】図４
2010086096.tif 000002
【特許請求の範囲】
【請求項１】
再生対象となるコンテンツに関する情報を表示する表示手段と、
前記コンテンツと、前記コンテンツの再生履歴を含むコンテンツに関する情報と、を記憶する記憶手段と、
前記記憶手段に記憶されている前記再生履歴に基づいて前記コンテンツを区分けし、当該区分けに対応させて前記コンテンツに関する情報の階層表示を前記表示手段に行わせる制御手段と、を備えることを特徴とするコンテンツ処理装置。 
【請求項２】
前記再生履歴は、前記コンテンツの再生回数を含み、
前記制御手段は、前記再生回数に応じた区分けごとに階層表示を行わせることを特徴とする請求項１に記載のコンテンツ処理装置。 
【請求項３】
前記再生回数は、所定の期間内における再生回数であることを特徴とする請求項２に記載のコンテンツ処理装置。 
【請求項４】
前記再生履歴は、前記コンテンツの最終再生日時を含み、
前記制御手段は、前記最終再生日時に応じた区分けごとに階層表示を行わせることを特徴とする請求項１から３のいずれか一項に記載のコンテンツ処理装置。 
【請求項５】
前記制御手段は、前記区分けに応じてフォルダを生成し、前記生成されたフォルダごとに階層表示を行わせることを特徴とする請求項１から４のいずれか一項に記載のコンテンツ処理装置。 
【請求項６】
再生対象となるコンテンツと、前記コンテンツの再生履歴を含むコンテンツに関する情報と、を記憶させ、
前記再生履歴に基づいて前記コンテンツを区分けし、当該区分けに対応させて前記コンテンツに関する情報の階層表示を行わせることを特徴とするコンテンツ表示方法。 
【請求項７】
コンピュータに、
再生対象となるコンテンツと、前記コンテンツの再生履歴を含むコンテンツに関する情報と、を記憶させる機能と、
前記再生履歴に基づいて前記コンテンツを区分けし、当該区分けに対応させて前記コンテンツに関する情報の階層表示を行わせる機能と、を実現させるためのプログラム。
【発明の詳細な説明】
【技術分野】
【０００１】
本発明は、コンテンツ処理装置、コンテンツ表示方法、及びプログラムに関する。
【背景技術】
【０００２】
近年、転送ツール（例えば、ＷＭＰ（Windows Media（登録商標） Player）、ｉＴｕｎｅｓ）を用いてＤＡＰ（Digital Audio Player）へと音楽コンテンツを転送し、ＤＡＰに取り込んだ音楽コンテンツを鑑賞するシステムが知られている。ユーザはＰＣを用いて、手持ちの媒体（例えば、ＣＤ）からリッピングしたり、外部回線を通じてダウンロードしたりして、音楽コンテンツをデジタル信号として記憶させる。記憶された音楽コンテンツは、転送ツールやドラッグ＆ドロップ操作を通じて、ＤＡＰ内の記録媒体（例えば、ＮＡＮＤ型ＦｌａｓｈＲＯＭやＨＤＤ）へと格納される。
ＤＡＰに格納された音楽コンテンツは、アーティスト名、アルバム名、トラック名（楽曲名）、ジャンル名、年代等様々な詳細情報を有している。ユーザは、ＤＡＰに備えられた表示部に表示される詳細情報のリストを利用して所望の音楽コンテンツを選択し、再生する。なお、表示部は、例えば液晶や有機ＥＬ等のディスプレイを備えており、ユーザはディスプレイに表示される詳細情報を示すテキスト情報を認識することとなる。
【０００３】
上記のようなＤＡＰを用いた例として、例えば、特許文献１には、単にトラック名のリストのみが表示画面上に表示されている場合において、一連の楽曲グループ（アルバム単位、アーティスト単位）を他の楽曲グループと識別することが可能な技術が開示されている。
同様に、上記のようなＤＡＰを用い、音楽コンテンツを階層化して記憶し、ユーザの選択を視覚的に容易にした技術を、図８を用いて説明する。
【０００４】
図８は、従来のＤＡＰにおけるフォルダ遷移の様子について示した図である。
図８（ａ）に示すように、表示部１にはＴＯＰ  ＭＥＮＵが表示され、例えば、「アーティスト」、「アルバム」、「トラック」、「お気に入り」、「新着トラック」、「ジャンル」、「リリース年」、・・といったメニューが表示されている。ユーザにより、例えば「アルバム」が選択されると、例えば図８（ｂ）の画面が表示される。
図８（ｂ）には、ＤＡＰに記録されているアルバムの名称よりアルバムを選択可能にする「Ａｌｂｕｍ００１」、「Ａｌｂｕｍ００２」、「Ａｌｂｕｍ００３」、「Ａｌｂｕｍ００４」、「Ａｌｂｕｍ００５」、「Ａｌｂｕｍ００６」、「Ａｌｂｕｍ００７」、・・といったメニューが表示されている。ユーザにより、例えば「Ａｌｂｕｍ００２」が選択されると、図８（ｃ）の画面が表示される。
図８（ｃ）には、「Ａｌｂｕｍ００２」に記録されている各楽曲トラックを選択可能にする「Ｔｒａｃｋ００１」、「Ｔｒａｃｋ００２」、「Ｔｒａｃｋ００３」、「Ｔｒａｃｋ００４」、「Ｔｒａｃｋ００５」、「Ｔｒａｃｋ００６」、「Ｔｒａｃｋ００７」、・・といったメニューが表示されている。ユーザにより、例えば「Ｔｒａｃｋ００２」が選択されると、図８（ｄ）の画面が表示される。
図８（ｄ）には、ジャケット写真Ｊ、再生マークＭ、再生時間／総再生時間Ｔ、とともに、図８（ｃ）で選択された“アーティスト名「ＡＡＡ」、アルバム名「Ａｌｂｕｍ００２」、トラック名「Ｔｒａｃｋ００２」”が表示部１下部に表示される。そして、アーティスト「ＡＡＡ」、アルバム「Ａｌｂｕｍ００２」のトラック「Ｔｒａｃｋ００２」が再生されることとなる。
【特許文献１】特開２００７−３３５０５８号公報
【発明の開示】
【発明が解決しようとする課題】
【０００５】
しかしながら、上記従来の技術では、はじめに区分けされた階層通りの表示しか行うことができず、ユーザによる選択の幅が狭かった。つまり、ユーザが再生したいファイルや削除したいファイルを検索しようとする際、検索作業自体に時間が掛かる上に、ファイルの要不要の識別も困難であった。
【０００６】
本発明は、コンテンツを構成するファイルの検索を迅速化し、かつファイルの必要性を容易に識別可能なコンテンツ処理装置、コンテンツ表示方法、及びプログラムを提供することを目的とする。
【課題を解決するための手段】
【０００７】
請求項１に記載の発明は、上記目的を達成するためになされたものであり、コンテンツ処理装置において、再生対象となるコンテンツに関する情報を表示する表示手段と、前記コンテンツと、前記コンテンツの再生履歴を含むコンテンツに関する情報と、を記憶する記憶手段と、前記記憶手段に記憶されている前記再生履歴に基づいて前記コンテンツを区分けし、当該区分けに対応させて前記コンテンツに関する情報の階層表示を前記表示手段に行わせる制御手段と、を備えることを特徴とする。
【０００８】
請求項２に記載の発明は、請求項１に記載のコンテンツ処理装置において、前記再生履歴は、前記コンテンツの再生回数を含み、前記制御手段は、前記再生回数に応じた区分けごとに階層表示を行わせることを特徴とする。
【０００９】
請求項３に記載の発明は、請求項２に記載のコンテンツ処理装置において、前記再生回数は、所定の期間内における再生回数であることを特徴とする。
【００１０】
請求項４に記載の発明は、請求項１から３のいずれか一項に記載のコンテンツ処理装置において、前記再生履歴は、前記コンテンツの最終再生日時を含み、前記制御手段は、前記最終再生日時に応じた区分けごとに階層表示を行わせることを特徴とする。
【００１１】
請求項５に記載の発明は、請求項１から４のいずれか一項に記載のコンテンツ処理装置において、前記制御手段は、前記区分けに応じてフォルダを生成し、前記生成されたフォルダごとに階層表示を行わせることを特徴とする。
【００１２】
請求項６に記載の発明は、再生対象となるコンテンツと、前記コンテンツの再生履歴を含むコンテンツに関する情報と、を記憶させ、前記再生履歴に基づいて前記コンテンツを区分けし、当該区分けに対応させて前記コンテンツに関する情報の階層表示を行わせることを特徴とするコンテンツ表示方法である。
【００１３】
請求項７に記載の発明は、コンピュータに、再生対象となるコンテンツと、前記コンテンツの再生履歴を含むコンテンツに関する情報と、を記憶させる機能と、前記再生履歴に基づいて前記コンテンツを区分けし、当該区分けに対応させて前記コンテンツに関する情報の階層表示を行わせる機能と、を実現させるためのプログラムである。
【発明の効果】
【００１４】
本発明によれば、コンテンツを構成するファイルの検索を迅速化し、かつファイルの必要性を容易に識別可能なコンテンツ処理装置、コンテンツ表示方法、及びプログラムを提供することができる。
【発明を実施するための最良の形態】
【００１５】
以下、本発明の実施の形態を図面に基づいて説明する。なお、本実施形態では、本発明に係るコンテンツ処理装置をＤＡＰに適用した場合について例示する。
【００１６】
図１は、本実施形態に係るＤＡＰ１００の概略構成を示すブロック図である。
図１に示すように、ＤＡＰ１００は、表示部１と、操作部２と、アンプ３と、出力部４と、記憶部５と、制御部６と、Ｉ／Ｆ７と、を備えて構成される。
【００１７】
表示部１は、例えば、液晶や有機ＥＬ（Electro Luminescence）等のディスプレイを備え、制御部６から出力された表示データに基づいて、楽曲情報等の各種情報（例えば、楽曲のトラック名や歌詞等のテキストファイル、ジャケット写真等の画像ファイル等）を表示する。
操作部２は、ＤＡＰ１００を操作するための操作キー群（例えば方向指示キー、決定キー、再生キー等）を備える。操作部２は、ユーザにより操作キーが押下されると、操作キーに応じた操作信号を生成し、制御部６に出力する。
【００１８】
アンプ３は、制御部６から出力された音声信号を増幅して出力部４に出力する。
出力部４は、アンプ３から出力された音声信号に基づく音声をヘッドホンやスピーカ、外部機器へ出力する。
【００１９】
記憶部５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部５に記憶された音声データは、制御部６で信号処理され、音声信号としてアンプ３に出力される。また、記憶部５に記憶された画像ファイルは、制御部６で信号処理され、表示部１に出力される。
【００２０】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、ＤＡＰ１００の各部を制御する。
ＣＰＵ６１は、ＲＯＭ６３に格納された処理プログラム等を読み出して、ＲＡＭ６２に展開して実行することにより、ＤＡＰ１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＤＳＰ６４は、音声ファイル、画像ファイル等のエンコードやデコード、音質調整等を行う。
ＲＯＭ６３は、例えば、半導体メモリで構成され、処理プログラムやデータ等が予め記憶されている。
【００２１】
また、ＲＯＭ６３は、データベースファイル（以下ＤＢファイル）を記憶している。ＤＢファイルは、例えば図２に示すように、記憶部５に記憶された音声情報に関するデータベースにより構成され、アルバム情報（Ａｌｂｕｍ情報）、アーティスト情報（Ａｒｔｉｓｔ情報）、ジャンル情報（Ｇｅｎｒｅ情報）、再生日時（Ｐｌａｙ  Ｔｉｍｅｓｔａｍｐ）、再生回数（Ｐｌａｙ  Ｃｏｕｎｔ）、親フォルダ名（親Ｆｏｌｄｅｒ  Ｎａｍｅ）、ファイル名（Ｆｉｌｅ  Ｎａｍｅ）等の情報で構成される。
本実施形態に係るＤＡＰ１００は、後述するＩ／Ｆ７を通じてＰＣから音声ファイルを取得する際、音声ファイルのタグ情報を抽出し、当該タグ情報に基づいてＤＢファイルを生成する。
【００２２】
上記したＤＢファイルには、例えば図３に示すように、当該音声ファイルが格納されたフォルダを示すＤＢパラメータ（以下フォルダパラメータ）、又はファイルを示すＤＢパラメータ（以下ファイルパラメータ）、が記録されている。
図３（ａ）に示すように、フォルダパラメータは、フォルダ個々に振付けられる「ＩＤ」、当該フォルダが属するフォルダに振付けられたＩＤを示す「親ＩＤ」、当該フォルダに属するファイルやフォルダの数を示す「子の数」、「フォルダ名（Ｆｏｌｄｅｒ  Ｎａｍｅ）」から構成される。
一方、図３（ｂ）に示すように、ファイルパラメータは、ファイル個々に振付けられる「ＩＤ」、当該ファイルが属するフォルダに振付けられたＩＤを示す「親ＩＤ」、「アルバム名」、「アーティスト名」、「ジャンル名」、当該ファイルが再生開始された年月日時刻を示す「再生日時」、当該ファイルの再生回数を示す「再生回数」、「ファイル名」から構成される。
なお、フォルダパラメータの「ＩＤ」とファイルパラメータの「親ＩＤ」とが一致した場合は、当該フォルダ内に当該ファイルが含まれていることが示される。
【００２３】
「再生日時」、「再生回数」を除くパラメータ値が記録されると、「再生日時」、「再生回数」の初期化が行われる。書き込まれる初期化データは、例えば、再生日時「Ｙ００００  Ｍ００  Ｄ００  Ｔ００」、再生回数「０」である。ファイルが再生されるとデコードが開始され、先頭数フレームのデコードが終わると、動作時点のＲＴＣ（Real Time Clock）情報に基づいて「再生日時」が書き込まれる。また、「再生回数」も１加算（インクリメント）される。当該ファイルが再度再生された場合、同様に「再生日時」、「再生回数」の書き換えが行われる。
このように、「再生日時」、「再生回数」の書き込みが行われることで、後述する図４に示すような階層表示を可能とする。
【００２４】
Ｉ／Ｆ７は、例えば、ＳＤカード、ＵＳＢメモリ等の記憶媒体を着脱可能に構成され、当該記憶媒体との間で定められた形式に従って、音声ファイル等の送受信を行う。
【００２５】
このように、本実施形態に係るＤＡＰ１００は、再生対象となるコンテンツに関する情報を表示する表示手段（表示部１）と、コンテンツと、コンテンツの再生履歴を含むコンテンツに関する情報と、を記憶する記憶手段（記憶部５）と、記憶手段に記憶されている再生履歴に基づいてコンテンツを区分けし、当該区分けに対応させてコンテンツに関する情報の階層表示を表示手段に行わせる制御手段（制御部６）と、を備える。
本実施形態に係るＤＡＰ１００は、上記構成を備えることにより、コンテンツを構成するファイルの検索を迅速化し、かつファイルの必要性を容易に識別することが可能となる。
【００２６】
図４は、各種ＤＢパラメータに基づいて生成されたフォルダの構成について示した図である。
図４に示すように、ＤＢパラメータに基づいて生成されるフォルダは、「アーティスト」、「アルバム」、「ジャンル」等といった一般的に構成されるフォルダのみならず、上記ＤＢパラメータに追記された再生履歴（「再生日時」、「再生回数」）に応じて構成されるフォルダを含んでいる。再生履歴に応じて構成されるフォルダには、例えば「再生したフォルダ／ファイル最終再生履歴」フォルダ、「再生頻度の高いファイル」フォルダ、「再生頻度の高いフォルダ」フォルダ等がある。
【００２７】
「再生したフォルダ／ファイル最終再生履歴」フォルダには、さらに「２００８年」、「２００７年」、・・、「履歴なし」といったフォルダが構成され、例えば「２００８年」フォルダのように年単位で区切られたフォルダには、さらに「１２月」〜「１月」まで月ごとのフォルダが構成される。これらは、最終再生日時によるソート処理を行うことができる。
「再生頻度の高いファイル」フォルダには、さらに「Ｔｏｐ５０」、「１００以上」、「１０以上」、「１０未満」、「０（未再生）」といったフォルダが構成される。これらのフォルダそれぞれに、例えば「ＸＸＸＸ．ｍｐ３」、「ＹＹＹＹ．ｗｍａ」といった各種ファイルが格納されることとなる。これらは、再生回数に応じてソート処理を行うことができる。
また、「再生頻度の高いファイル」フォルダ同様、「再生頻度の高いフォルダ」フォルダには、さらに「Ｔｏｐ５０」、「１００以上」、「１０以上」、「１０未満」、「０（未再生）」といったフォルダが構成される。これらのフォルダそれぞれに、例えば「Ｍｕｓｉｃ１」、「Ｖｉｄｅｏ５」といった各種フォルダが構成されることとなる。これらは、再生回数に応じてソート処理を行うことができる。
このようなフォルダ構成をとることにより、コンテンツを構成するファイルの検索を迅速化し、かつファイルの必要性を容易に識別することが可能となる。
【００２８】
図５は、フォルダ又はファイルのプロパティを表示した画面の一例について示した図である。
図５（ａ）に示すように、表示部１には、フォルダ名「／Ｍｙ  Ｍｕｓｉｃ／ＡＡＡ」のプロパティ画面が示されており、格納されているファイル名「ｘｘｘ．ｗｍａ」、「ｙｙｙ．ｗｍａ」、そして当該フォルダ内ファイルのこれまでの再生回数が「２」回と示されている。
次に、上記したファイル「ｘｘｘ．ｗｍａ」のプロパティ画面は、例えば、図５（ｂ）に示すような画面である。表示部１には、ファイル名「ｘｘｘ．ｗｍａ」、保存先フォルダ名「／Ｍｙ  Ｍｕｓｉｃ／ＡＡＡ」、当該ファイルの最終再生日時が「２００８／０３／２２」、そして当該ファイルのこれまでの再生回数が「２」回であることが示されている。
同様に、上記したファイル「ｙｙｙ．ｗｍａ」のプロパティ画面は、例えば、図５（ｃ）に示すような画面である。表示部１には、ファイル名「ｙｙｙ．ｗｍａ」、保存先フォルダ名「／Ｍｙ  Ｍｕｓｉｃ／ＡＡＡ」、当該ファイルの最終再生日時が「―（なし）」、そして当該ファイルのこれまでの再生回数が「０」回であることが示されている。
【００２９】
図６は、最終再生日に基づいたフォルダ遷移の様子について示した図である。
図６（ａ）に示すように、表示部１にはＴＯＰ  ＭＥＮＵが表示され、例えば、「新着トラック」、「ジャンル」、「リリース年」、「プレイリスト」、「フォルダ」、「最終再生日」、「再生頻度」といったメニューが表示されている。ユーザにより、例えば「最終再生日」が選択されると、図６（ｂ）の画面が表示される。
図６（ｂ）には、「再生履歴なし」、「２００５年」、「２００６年」、「２００７年」、「２００８年」といったメニューが表示されている。ユーザにより、例えば「２００６年」が選択されると、図６（ｃ）の画面が表示される。
図６（ｃ）には、「０１月」、「０２月」、・・、「０６月」、・・、といったメニューが表示されている。ユーザにより、例えば「０３月」が選択されると、図６（ｄ）の画面が表示される。
【００３０】
図６（ｄ）には、「Ａｒｔｉｓｔ「ＡＡＢ」、Ａｌｂｕｍ「ＸＸＸ」、Ｔｒａｃｋ「ＡＡＢ００１」」、「Ａｒｔｉｓｔ「ＡＡＡ」、Ａｌｂｕｍ「００２」、Ｔｒａｃｋ「００２」」、・・といった音声ファイルを選択可能にするメニューが表示されている。ユーザにより、例えば「Ａｒｔｉｓｔ「ＡＡＡ」、Ａｌｂｕｍ「００２」、Ｔｒａｃｋ「００２」」が選択されると、図６（ｅ）の画面が表示される。
図６（ｅ）には、ジャケット写真Ｊ、再生マークＭ、再生時間／総再生時間Ｔ、とともに、図６（ｄ）で選択された“アーティスト「ＡＡＡ」、アルバム「００２」、トラック「００２」”が表示部１下部に表示される。そして、アーティスト「ＡＡＡ」、アルバム「００２」のトラック「００２」の音声ファイルが再生されることとなる。
【００３１】
一方、図６（ｃ）において、例えば「０３」月を選択指定したまま削除メニューが選択されると、図６（ｆ）に示すように、「最終再生日２００６年０３月のデータを削除しますか？」と表示される。これにより、ユーザは、データ削除に関して「Ｙｅｓ」か「Ｎｏ」を選択することができ、この操作により最終再生日が２００６年０３月に該当する音声ファイルが削除される。
【００３２】
図７は、再生頻度に基づいたフォルダ遷移の様子について示した図である。
図７（ａ）に示すように、表示部１にはＴＯＰ  ＭＥＮＵが表示され、例えば、「新着トラック」、「ジャンル」、「リリース年」、「プレイリスト」、「フォルダ」、「最終再生日」、「再生頻度」といったメニューが表示されている。ユーザにより、例えば「再生頻度」が選択されると、図７（ｂ）の画面が表示される。
図７（ｂ）には、「ＴＯＰ５０」、「１００以上」、「５０〜９９」、「１０〜４９」、「１〜９」、「０」といった再生頻度を示すメニューが表示されている。ユーザにより、例えば「０」が選択されると、図７（ｃ）の画面が表示される。
図７（ｃ）には、「Ａｒｔｉｓｔ「ＡＡＢ」、Ａｌｂｕｍ「ＸＸＸ」、Ｔｒａｃｋ「ＡＡＢ００１」」、「Ａｒｔｉｓｔ「ＡＡＡ」、Ａｌｂｕｍ「００２」、Ｔｒａｃｋ「００２」」、・・といった音声ファイルを選択可能にするメニューが表示されている。ユーザにより、例えば「Ａｒｔｉｓｔ「ＡＡＡ」、Ａｌｂｕｍ「００２」、Ｔｒａｃｋ「００２」」が選択されると、図７（ｄ）の画面が表示される。
【００３３】
図７（ｄ）には、ジャケット写真Ｊ、再生マークＭ、再生時間／総再生時間Ｔ、とともに、図７（ｃ）で選択された“アーティスト「ＡＡＡ」、アルバム「００２」、トラック「００２」”が表示部１下部に表示される。そして、アーティスト「ＡＡＡ」、アルバム「００２」のトラック「００２」の音声ファイルが再生されることとなる。
【００３４】
一方、図７（ｃ）において、例えば「０」回を選択指定したまま削除メニューが選択されると、図７（ｅ）に示すように、「再生回数０回のデータを削除しますか？」と表示される。これにより、ユーザは、データ削除に関して「Ｙｅｓ」か「Ｎｏ」を選択することができ、この操作により再生回数が０回の音声ファイルが削除される。
【００３５】
以上、本発明に係る実施形態に基づいて具体的に説明したが、本発明は上記実施形態に限定されるものではなく、その要旨を逸脱しない範囲で変更可能である。
【００３６】
例えば、上記実施形態では、再生回数について特に期間的な制限を設けないようにしているが、再生回数に期間制限を設け、所定の期間内における再生回数をカウントさせるようにしてもよい。そうすることで、より直近のユーザの嗜好に合わせた階層表示を行うことが可能となる。
【００３７】
また、上記実施形態では、上記階層表示を行う際、階層に該当するフォルダを作成し、作成したフォルダ内に記録されているファイルの名称等を表示していたが、フォルダを作成せず、コンテンツデータに対応付けられた再生履歴を参照して階層表示を行ってもよい。
【図面の簡単な説明】
【００３８】
【図１】本実施形態に係るＤＡＰ１００の概略構成を示すブロック図である。
【図２】ＤＢファイルの構成について示した図である。
【図３】ＤＢパラメータの構成について示した図である。
【図４】各種ＤＢパラメータに基づいて生成されたフォルダの構成について示した図である。
【図５】フォルダ又はファイルのプロパティを表示した画面の一例について示した図である。
【図６】最終再生日に基づいたフォルダ遷移の様子について示した図である。
【図７】再生頻度に基づいたフォルダ遷移の様子について示した図である。
【図８】従来のＤＡＰにおけるフォルダ遷移の様子について示した図である。
【符号の説明】
【００３９】
１００  ＤＡＰ
１  表示部
２  操作部
３  アンプ
４  出力部
５  記憶部
６  制御部
６１  ＣＰＵ
６２  ＲＡＭ
６３  ＲＯＭ
６４  ＤＳＰ
７  Ｉ／Ｆ
【図１】
2010086096.tif 000003
【図２】
2010086096.tif 000004
【図３】
2010086096.tif 000005
【図４】
2010086096.tif 000006
【図５】
2010086096.tif 000007
【図６】
2010086096.tif 000008
【図７】
2010086096.tif 000009
【図８】
2010086096.tif 000010